(57)【要約】【課題】異なる色の藺草同士を藺草を製織することで施された模様を有する畳表及び藺草製品であって、経年変化による変色または退色後でも模様が自然で違和感がないようにしものを提供する。【解決手段】畳表は、藺草を泥染めした後に乾燥させた泥染め藺草１１と、藺草を泥染めせずに乾燥させた不染め藺草２１と、を製織することで施された模様を有している。【選択図】図１
0003121442.tif 000002
【実用新案登録請求の範囲】
【請求項１】
藺草を泥染めした後に乾燥させた泥染め藺草(11)と、藺草を泥染めせずに乾燥させた不染め藺草(21)と、を製織することで施された模様を有している、
畳表。
【請求項２】
藺草を泥染めした後に乾燥させた泥染め藺草(11)と、藺草を泥染めせずに乾燥させた不染め藺草(21)と、を製織することで施されたコントラストを有する模様を有しており、
泥染め藺草(11)が表面に現れている部分(1)と不染め藺草(21)が表面に現れている部分(2)とが経年に伴って本質的に同じまたは同程度のコントラストの度合いを保ちながら共に色調変化するように構成されている、
畳表。
【請求項３】
藺草を泥染めした後に乾燥させた泥染め藺草(11)と、藺草を泥染めせずに乾燥させた不染め藺草(21)と、を製織することで施された模様を有しており、
泥染め藺草(11)が表面に現れている部分(1)と不染め藺草(21)が表面に現れている部分(2)とが経年に伴って共に色調変化して黄色味を帯びるように構成されている、
畳表。
【請求項４】
模様が市松模様またはストライプ模様である、
請求項１ないし３のいずれかに記載の畳表。
【請求項５】
藺草を泥染めした後に乾燥させた泥染め藺草(11)と、藺草を泥染めせずに乾燥させた不染め藺草(21)と、を製織することで施された模様を有している、
藺草製品。
【請求項６】
藺草を泥染めした後に乾燥させた泥染め藺草(11)と、藺草を泥染めせずに乾燥させた不染め藺草(21)と、を製織することで施されたコントラストを有する模様を有しており、
泥染め藺草(11)が表面に現れている部分(1)と不染め藺草(21)が表面に現れている部分(2)とが経年に伴って本質的に同じまたは同程度のコントラストの度合いを保ちながら共に色調変化するように構成されている、
藺草製品。
【考案の詳細な説明】
【技術分野】
【０００１】
本考案は、畳表及び藺草製品に関する。
更に詳しくは、異なる色の藺草同士を藺草を製織することで施された模様を有する畳表及び藺草製品であって、経年変化による変色または退色後でも模様が自然で違和感がないようにしたものに関する。
また、経年変化により落ち着いた和の雰囲気をより醸し出すことができるようにした畳表及び藺草製品に関する。
【背景技術】
【０００２】
従来より、天然の藺草を用いて、市松模様やストライプ柄を有する畳表や、各種の柄模様を有する花茣蓙が提案されている。このような藺草製品は、通常の泥染めした後に乾燥させた泥染め藺草と、泥染め後に人工染料で着色して乾燥させた着色藺草の少なくとも二種類の藺草が使用され、この藺草の色の違いを利用して製織されるものである。
【考案の開示】
【考案が解決しようとする課題】
【０００３】
従来の着色藺草を使用した藺草製品の課題を図２を参照しながら説明する。
【０００４】
図２は、例えば市松模様に織り上げられた従来の畳表を示す部分拡大平面視説明図である。そのうち、図２(ａ)は製織した直後の畳表を示し、図２(ｂ)は経年変化によって変色した畳表を示している。
【０００５】
例えば図２(ａ)に示すように、製織した畳表では、例えば「薄い緑色」を呈する泥染め藺草が表面に現れている部分１ａと、例えば「濃い緑色」を呈する着色藺草が表面に現れている部分２ａよって、碁盤縞を並べたような模様が施されている。
【０００６】
ところで、通常、畳は長年使用していると、日焼けによる変色や退色によって畳表全体が鮮やかな緑色から、次第に黄色味を帯びてくる。通常、畳表が泥染めされるのは、この日焼けによる変色を緩和する意味もあるが、天然の泥で藺草を着色している以上、この経年変化による変色は避けられない。
【０００７】
しかし、図２(ａ)に示すような畳表では、人工染料で藺草表面をコーティングしている着色藺草を一部使用しているので、この着色藺草が表面に現れている部分２ａが日焼けによって変色や退色が起きにくくなっている。
【０００８】
このため、図２(ｂ)に示すように、経年変化後では、着色藺草が表面に現れている部分２ａは製織した直後と同様に「濃い緑色」を呈したままであるが、泥染め藺草が表面に現れている部分１ａだけが日焼けによって「薄い緑色」から「薄い黄色」等に変化してしまう。その結果、人工的に着色した「濃い緑色」だけが「薄い黄色」の中で際だって目立ち、全体的に見て模様が不自然で違和感があった。
【０００９】
特に畳表は畳にして和室に敷くものなので、このような色調の不自然さは、落ち着いた和の雰囲気を壊すもので好ましくはなく、頻繁に畳替えを行う者も多い。
【００１０】
そこで、本考案者は、上記課題を解決するべく鋭意研究開発に努めた結果、通常行う泥染めをあえて行わない不染め藺草を使用することにより、経年変化による変色または退色後でも模様が自然で違和感がない畳表等の藺草製品の開発に成功し、本考案を完成したものである。
【００１１】
（本考案の目的）
そこで本考案の目的は、異なる色の藺草同士を製織することで施された模様を有する畳表及び藺草製品であって、経年変化による変色または退色後でも模様に違和感がないようにした畳表及び藺草製品を提供することにある。
【００１２】
本考案の他の目的は、経年変化により落ち着いた和の雰囲気をより醸し出すことができるようにした畳表及び藺草製品を提供することにある。
【課題を解決するための手段】
【００１３】
上記目的を達成するために本考案が講じた手段は次のとおりである。
なお、後述する作用の説明の理解を助けるため、図面において使用した符号を括弧を用いて記載しているが、各構成要件を図面記載のものに限定するものではない。
【００１４】
本考案は、藺草を泥染めした後に乾燥させた泥染め藺草(11)と、藺草を泥染めせずに乾燥させた不染め藺草(21)と、を製織することで施された模様を有している、畳表である。
【００１５】
本考案は、藺草を泥染めした後に乾燥させた泥染め藺草(11)と、藺草を泥染めせずに乾燥させた不染め藺草(21)と、を製織することで施されたコントラストを有する模様を有しており、泥染め藺草(11)が表面に現れている部分(1)と不染め藺草(21)が表面に現れている部分(2)とが経年に伴って本質的に同じまたは同程度のコントラストの度合いを保ちながら共に色調変化するように構成されている、畳表である。
【００１６】
本考案は、藺草を泥染めした後に乾燥させた泥染め藺草(11)と、藺草を泥染めせずに乾燥させた不染め藺草(21)と、を製織することで施された模様を有しており、泥染め藺草(11)が表面に現れている部分(1)と不染め藺草(21)が表面に現れている部分(2)とが経年に伴って共に色調変化して黄色味を帯びるように構成されている、畳表である。
【００１７】
本考案は、藺草を泥染めした後に乾燥させた泥染め藺草(11)と、藺草を泥染めせずに乾燥させた不染め藺草(21)と、を製織することで施された模様を有している、藺草製品である。
【００１８】
本考案は、藺草を泥染めした後に乾燥させた泥染め藺草(11)と、藺草を泥染めせずに乾燥させた不染め藺草(21)と、を製織することで施されたコントラストを有する模様を有しており、泥染め藺草(11)が表面に現れている部分(1)と不染め藺草(21)が表面に現れている部分(2)とが経年に伴って本質的に同じまたは同程度のコントラストの度合いを保ちながら共に色調変化するように構成されている、藺草製品である。
【００１９】
本明細書及び実用新案登録請求の範囲にいう「藺草製品」としては、畳に使用する畳表の他、床に敷く敷物（例えば茣蓙、座布団、マットレス）、食卓やテーブルにおいて食器等を載せる敷物（例えばランチョンマット、コースター）、枕、クッション、あるいは家具や民芸品、建材等に使用される表面材等を挙げることができる。
【００２０】
（作  用）
本考案に係る畳表及び藺草製品は、次のように作用する。
本考案によれば、人工染料で着色した着色藺草を用いないで、藺草を泥染めせずに乾燥させた不染め藺草(11)を用いる。そして、この不染め藺草(11)と、藺草を泥染めした後に乾燥させた泥染め藺草(21)とを、を製織することで、畳表及び藺草製品に模様を施している。
【００２１】
よって、不染め藺草(11)が表面に現れている部分(1)は、人工染料で藺草表面がコーティングされた着色藺草と相違して、経年に伴って日焼けによる変色や退色が起きやすい。また泥染め藺草(21)が表面に現れている部分(2)についても、経年に伴って変色や退色を起こす。
このように、不染め藺草(11)が表面に現れている部分(1)と、泥染め藺草(21)が表面に現れている部分(2)は、共に経年に伴って変色または退色するので、変色または退色後でも模様が自然で違和感がない。
【考案の効果】
【００２２】
（ａ）本考案に係る畳表及び藺草製品によれば、異なる色の藺草同士を製織することで施された模様を有しており、これらが表面に現れたそれぞれの部分は共に経年変化による変色または退色を起こすため、変色または退色後でも模様が自然で違和感がない。
【００２３】
（ｂ）また泥染め藺草が表面に現れている部分と不染め藺草が表面に現れている部分とが経年に伴って共に色調変化して黄色味を帯びるように構成されているものは、長年の使用で経年変化しても模様全体が黄色味を帯びて違和感がなく、逆にわびさびといった和の雰囲気をより醸し出すことができる。
【考案を実施するための最良の形態】
【００２４】
本考案に係る畳表等の藺草製品は、藺草を泥染めした後に乾燥させた泥染め藺草と、藺草を泥染めせずに乾燥させた不染め藺草と、を製織することで施された模様を有している。藺草の泥染めは、公知の技術が好適に採用できる。また藺草の乾燥方法は、温風乾燥機等による人工乾燥であっても、天日による自然乾燥でも良い。
【００２５】
本考案で施される模様の種類は特に限定するものではないが、和室に敷く畳表や茣蓙の場合は、落ち着いた和の雰囲気をより醸し出すように、市松模様またはストライプ模様が好ましい。
【００２６】
また、経年変化による変色または退色後の模様をより自然に違和感がないようにするためには、泥染め藺草が表面に現れている部分と不染め藺草が表面に現れている部分とが経年に伴って本質的に同じまたは同程度のコントラストの度合いを保ちながら共に色調変化するように構成することが、より好ましい。
【００２７】
以下、本考案を実施例により説明するが、本考案はこれらに限定されるものではない。
【００２８】
本考案を図面に示した実施例に基づき更に詳細に説明する。
【実施例】
【００２９】
図１は、本考案に係る畳表の一実施例を示す部分拡大平面視説明図である。
そのうち、図１(ａ)は製織した直後の畳表を示し、図１(ｂ)は人工的に経年変化させて変色した畳表を示している。
【００３０】
上記したように、図１(ａ)に示す畳表は、製織した直後の状態を示している。畳表は、藺草を泥染めした後に乾燥させた泥染め藺草１１と、藺草を泥染めせずに乾燥させた不染め藺草２１と、を製織することで施された市松模様を有している。
【００３１】
泥染め藺草１１は、刈り取って水洗いした藺草を泥水槽の泥水中（泥染液）に浸漬した後、温風乾燥機で乾燥させることで得た。一方、不染め藺草２１は、通常行う泥染め処理をあえて行わず、刈り取って水洗いした藺草を温風乾燥機で乾燥させることで得た。そして、藺草織機を用い、経糸に対して泥染め藺草１１と不染め藺草２１を交互に織成し、市松模様を施した。
【００３２】
例えば図１(ａ)に示すように、製織した直後では、泥染め藺草が表面に現れている部分１が「薄い緑色（白青緑）」を呈し、不染め藺草２１が表面に現れている部分２が藺草本来の色である「濃い緑色」を呈しており、全体として美しいコントラストを有する模様となっている。
【００３３】
（実験例）
上記のようにして得られた畳表の一部を切り取って試験片とし、これについての促進耐候性試験を行った。具体的には、紫外線を発生させる紫外線オートフェードメーターを用いて、畳表に紫外線を５０時間照射し、人工的に畳表が日に焼けた状態を作り出した。そして、紫外線を照射した前後の畳表の色調を目視で確認することにより、日焼けによって畳表の色調がどのように変化したかを確認した。
【００３４】
この本実施例の色調の変化を従来と比較しながらまとめると、下記表１のようになる。なお、表１では、図面で付した各藺草が表面に現れている部分に対応する符号を藺草名と一緒に記載している。
【００３５】
【表１】
0003121442.tif 000003
【００３６】
表１に示すように、本実施例の畳表（図１(ｂ)も参照）では、全体的に緑色系を呈していた畳表が日焼けすることで、市松模様が全体的に黄色味を帯びた。詳しくは、泥染め藺草１１が表面に現れている部分１は「薄い緑色」から「薄い黄色」へ、不染め藺草２１で製織した部分２は「濃い緑色」から「濃い黄色」へと、本質的に同じか同程度のコントラストの度合いを保ちながら色調が変化していた。
なお、上記のようにして製織した畳表で作った畳を実際に数年使用したものも、本実験例と本質的同じか同程度に色調変化をすることを確認した。
【００３７】
（考察）
即ち、従来（図２も参照）の畳表の場合、不染め藺草２１ではなく、着色藺草を使用している。このため、泥染め藺草１１が表面に現れている部分１ａは、本実施例と同様に「薄い黄色」に色調変化するものの、着色藺草が表面に現れている部分２ａは日焼けによる変色や退色が起きにくく、「濃い緑色」を呈したままになる。このため、着色藺草を使用したものは、人工的に着色した「濃い緑色」だけが「薄い黄色」の中で際だって目立ち、全体的に見て模様が不自然で違和感がある。
【００３８】
これに対し、本実施例のものは、変色または退色後であっても、全体的に黄色味を帯びて美しい色調を有する。したがって、本実施例に係る畳表は、新しいときは鮮やかで美しい緑色（青色）の市松模様を呈し、長年の使用で経年変化しても市松模様が黄色味を帯びて全体的に違和感がなく、逆にわびさびといった和の雰囲気をより醸し出す。
【００３９】
なお、本明細書で使用している用語と表現はあくまで説明上のものであって、限定的なものではなく、上記用語、表現と等価の用語、表現を除外するものではない。また、本考案は図示の実施例に限定されるものではなく、技術思想の範囲内において種々の変形が可能である。
【００４０】
更に、実用新案登録請求の範囲には、請求項記載の内容の理解を助けるため、図面において使用した符号を括弧を用いて記載しているが、実用新案登録請求の範囲を図面記載のものに限定するものではない。
【図面の簡単な説明】
【００４１】
【図１】本考案に係る畳表の一実施例を示す部分拡大平面視説明図であり、そのうち、図１(ａ)は製織した直後の畳表を示し、図１(ｂ)は人工的に経年変化させて変色した畳表を示している。
【図２】従来の畳表の一例を示す部分拡大平面視説明図であり、そのうち、図２(ａ)は製織した直後の畳表を示し、図２(ｂ)は経年変化によって変色した畳表を示している。
【符号の説明】
【００４２】
１  泥染め藺草が表面に現れている部分
１１  泥染め藺草
２  不染め藺草が表面に現れている部分
２１  不染め藺草
【図１】
0003121442.tif 000004
【図２】
0003121442.tif 000005